【事件の表示】
　特許第６２５８６１１号発明「警報システム」の特許異議申立事件について、次のとおり決定する。
【結　論】
　特許第６２５８６１１号の明細書，特許請求の範囲を，訂正請求書に添付された訂正明細書及び特許請求の範囲のとおり，訂正後の請求項〔１〜４〕について訂正することを認める。
　特許第６２５８６１１号の請求項１ないし４に係る特許を維持する。
【理　由】
　１　手続の経緯
　特許６２５８６１１号の請求項１〜４に係る特許についての出願は，平成２５年６月２１日に出願され，平成２９年１２月１５日にその特許権の設定登録がされ，平成３０年１月１０日に特許掲載公報が発行された。その後，その特許について，平成３０年７月１０日に特許異議申立人　市東　勇より請求項１〜４に対して特許異議の申立てがされた。
　その後の手続の経緯は，概ね次のとおりである。
　平成３０年　９月２８日付け　取消理由通知
　平成３０年１２月　４日　　　特許権者による意見書及び訂正請求書の提出
　平成３１年　２月１５日　　　特許異議申立人による意見書の提出
　平成３１年　４月２２日付け　取消理由通知（決定の予告）
　令和　元年　６月１１日　　　特許権者による意見書及び訂正請求書の提出
　令和　元年　８月１５日　　　特許異議申立人による意見書の提出
　２　訂正の適否についての判断
（１）訂正の内容
　令和元年６月１１日に提出された訂正請求書に係る訂正請求（以下「本件訂正請求」という。）による訂正の内容は，以下のア〜エのとおりである。なお，平成３０年１２月４日に提出された訂正請求書に係る訂正請求（以下「先の訂正請求」という。）は，特許法第１２０条の５第７項の規定により取り下げられたものとみなされる。
　ア　訂正事項１
　特許請求の範囲の請求項１を，
　「監視領域に配置した検出器で異常を検出した場合に，異常検出信号を防災受信盤に送信して異常警報を出力すると共に，前記防災受信盤から，受信した異常に対応した移報信号を出力する防災監視設備と，
　前記監視領域に配置され，ネットワークを経由して信号を送受信する複数の情報端末装置と，
　前記防災受信盤から移報信号が出力された場合に，当該移報信号に基づく防災情報信号を生成し，当該防災情報信号を，前記ネットワークを経由して前記情報端末装置へ配信して防災情報を表示させるアダプタ装置と，
を備え，
　前記防災監視設備は，監視領域に配置した火災感知器で火災を検出した場合に火災検出信号を前記防災受信盤に送信して火災警報を出力すると共に，前記防災受信盤から，火災発生場所を含む移報信号を出力し，
　前記アダプタ装置は，前記防災受信盤からの火災発生場所を含む移報信号を受信した場合に，当該移報信号に基づき，火災警報及び火災発生場所を含む火災情報信号を生成して前記ネットワークを経由して前記複数の情報端末装置へ配信し，
　前記複数の情報端末装置は，日常的に使用されているパソコンであり，
当該日常的に使用されている場所に応じた避難口を示す地図情報を予め記憶し，
として当該地図情報を表示する画面
に訂正し，請求項１を引用する請求項３，４も同様に訂正する。
　イ　訂正事項２
　特許請求の範囲の請求項２を，
　「監視領域に配置した検出器で異常を検出した場合に，異常検出信号を防災受信盤に送信して異常警報を出力すると共に，前記防災受信盤から，受信した異常に対応した移報信号を出力する防災監視設備と，
　前記監視領域に配置され，無線ネットワークを経由して信号を送受信する複数の情報端末装置と，
　前記防災受信盤から移報信号が出力された場合に，当該移報信号に基づく防災情報信号を生成し，当該防災情報信号を，前記無線ネットワークを経由して前記情報端末装置へ配信して防災情報を表示させるアダプタ装置と，
を備え，
　前記防災監視設備は，監視領域に配置した火災感知器で火災を検出した場合に火災検出信号を前記防災受信盤に送信して火災警報を出力すると共に，前記防災受信盤から，火災発生場所を含む移報信号を出力し，
　前記アダプタ装置は，前記防災受信盤からの火災発生場所を含む移報信号を受信した場合に，当該移報信号に基づき，火災警報及び火災発生場所を含む火災情報信号を生成して前記無線ネットワークを経由して前記複数の情報端末装置へ配信し，
　前記複数の情報端末装置は，日常的に使用されているタブレットや携帯電話であり，
当該日常的に使用されている場所に応じた避難口を示す地図情報を予め記憶し，
として当該地図情報を表示する画面
に訂正し，請求項２を引用する請求項３，４も同様に訂正する。
　ウ　訂正事項３
　明細書の発明の詳細な説明の段落【０００８】に記載された，「複数の情報端末装置は，日常的に使用されているパソコンであり，ネットワークを経由してアダプタ装置からの火災情報信号を受信した場合に，当該火災情報信号に基づき，火災発生場所を示す火災警報画面及び直近の避難口を示す地図画面を切り替え可能に表示することを特徴とする。」を，「複数の情報端末装置は，日常的に使用されているパソコンであり，
当該日常的に使用されている場所に応じた避難口を示す地図情報を予め記憶し，
として当該地図情報を表示する画面
　エ　訂正事項４
　明細書の発明の詳細な説明の段落【０００９】に記載された，「複数の情報端末装置は，日常的に使用されているタブレットや携帯電話であり，無線ネットワークを経由してアダプタ装置からの火災情報信号を受信した場合に，当該火災情報信号に基づき，火災発生場所を示す火災警報画面及び直近の避難口を示す地図画面を切り替え可能に表示することを特徴とする。」を，「複数の情報端末装置は，日常的に使用されているタブレットや携帯電話であり，
当該日常的に使用されている場所に応じた避難口を示す地図情報を予め記憶し，
として当該地図情報を表示する画面
　本件訂正請求は，一群の請求項〔１〜４〕に対して請求されたものである。また，明細書に係る訂正は，一群の請求項〔１〜４〕について請求されたものである。
（２）訂正の目的の適否，新規事項の有無，及び特許請求の範囲の拡張・変更の存否
　ア　訂正事項１について
（ア）訂正事項１は，訂正前の請求項１に「当該日常的に使用されている場所に応じた避難口を示す地図情報を予め記憶し，」との記載を追加して，「日常的に使用されているパソコン」である「複数の情報端末装置」について，「当該日常的に使用されている場所に応じた避難口を示す地図情報を予め記憶」するものであるという点で限定し，また，訂正前の請求項１の「地図画面を切り替え可能に表示する」との記載を「地図画面として当該地図情報を表示する画面を切り替え可能に表示する」との記載に変更して，「複数の情報端末装置」が表示する「地図画面」の内容について，「当該地図情報を表示する画面」であるという点で限定するものであるから，特許請求の範囲の減縮を目的としている。
（イ）明細書の段落【００１６】には，「監視領域となるオフィスビルで働いている人が日常的に使用しているパソコン等の情報端末装置」と記載されており，段落【００５７】には，「情報端末装置２４」が「パソコン」であることが記載されており，段落【００６１】には，「情報端末装置２４は，その設置場所に応じて避難口を示したフロアマップ情報を予め記憶しており，火災情報信号を受信した場合に，火災警報画面Ｗ１に合わせて，その階のフロアマップ画面Ｗ２を，火災警報画面Ｗ１の下に表示し」と記載されている。ここで，「フロアマップ情報」は地図情報であるといえる。したがって，訂正事項１は，新規事項の追加に該当せず，明細書に記載した事項の範囲内の訂正である。
（ウ）訂正事項１が，実質上特許請求の範囲を拡張するものでなく，変更するものでもないことは明らかである。
　イ　訂正事項２について
（ア）訂正事項２は，訂正前の請求項２について，「複数の情報端末装置」が「日常的に使用されているタブレットや携帯電話」である点を除き，上記ア（ア）の訂正事項１と同様の記載の追加及び変更を行って，発明特定事項を限定するものであるから，特許請求の範囲の減縮を目的としている。
（イ）明細書には，上記ア（イ）の記載に加えて，段落【００８７】に「上記の実施形態は，情報端末装置としてパソコンを例にとっているが，防災情報を表示可能な機器であれば，タブレットや携帯電話などの適宜の端末機器を含む。」と記載されているから，訂正事項２は，新規事項の追加に該当せず，明細書に記載した事項の範囲内の訂正である。
（ウ）訂正事項２が，実質上特許請求の範囲を拡張するものでなく，変更するものでもないことは明らかである。
　ウ　訂正事項３，４について
　訂正事項３，４は，それぞれ上記ア，イの特許請求の範囲の訂正に伴う明細書の訂正であるから，明瞭でない記載の釈明を目的とする訂正であって，新規事項の追加に該当せず，実質上特許請求の範囲を拡張し，又は変更するものでもない。
（３）訂正の適否についてのまとめ
　以上のとおりであるから，本件訂正請求による訂正は，特許法第１２０条の５第２項ただし書第１号及び第３号に掲げる事項を目的とするものであり，かつ，同条第９項において準用する同法第１２６条第５項及び第６項の規定に適合する。
　したがって，明細書，特許請求の範囲を，訂正請求書に添付された訂正明細書，特許請求の範囲のとおり，訂正後の請求項〔１〜４〕について訂正することを認める。
　３　訂正後の本件発明
　本件訂正請求により訂正された請求項１〜４に係る発明（以下，請求項１〜４に係る発明を，それぞれ「本件特許発明１」〜「本件特許発明４」という。）は，訂正特許請求の範囲の請求項１〜４に記載された次の事項により，特定されるものである。
（１）本件特許発明１
　「監視領域に配置した検出器で異常を検出した場合に，異常検出信号を防災受信盤に送信して異常警報を出力すると共に，前記防災受信盤から，受信した異常に対応した移報信号を出力する防災監視設備と，
　前記監視領域に配置され，ネットワークを経由して信号を送受信する複数の情報端末装置と，
　前記防災受信盤から移報信号が出力された場合に，当該移報信号に基づく防災情報信号を生成し，当該防災情報信号を，前記ネットワークを経由して前記情報端末装置へ配信して防災情報を表示させるアダプタ装置と，
を備え，
　前記防災監視設備は，監視領域に配置した火災感知器で火災を検出した場合に火災検出信号を前記防災受信盤に送信して火災警報を出力すると共に，前記防災受信盤から，火災発生場所を含む移報信号を出力し，
　前記アダプタ装置は，前記防災受信盤からの火災発生場所を含む移報信号を受信した場合に，当該移報信号に基づき，火災警報及び火災発生場所を含む火災情報信号を生成して前記ネットワークを経由して前記複数の情報端末装置へ配信し，
　前記複数の情報端末装置は，日常的に使用されているパソコンであり，
当該日常的に使用されている場所に応じた避難口を示す地図情報を予め記憶し，
として当該地図情報を表示する画面
（２）本件特許発明２
　「監視領域に配置した検出器で異常を検出した場合に，異常検出信号を防災受信盤に送信して異常警報を出力すると共に，前記防災受信盤から，受信した異常に対応した移報信号を出力する防災監視設備と，
　前記監視領域に配置され，無線ネットワークを経由して信号を送受信する複数の情報端末装置と，
　前記防災受信盤から移報信号が出力された場合に，当該移報信号に基づく防災情報信号を生成し，当該防災情報信号を，前記無線ネットワークを経由して前記情報端末装置へ配信して防災情報を表示させるアダプタ装置と，
を備え，
　前記防災監視設備は，監視領域に配置した火災感知器で火災を検出した場合に火災検出信号を前記防災受信盤に送信して火災警報を出力すると共に，前記防災受信盤から，火災発生場所を含む移報信号を出力し，
　前記アダプタ装置は，前記防災受信盤からの火災発生場所を含む移報信号を受信した場合に，当該移報信号に基づき，火災警報及び火災発生場所を含む火災情報信号を生成して前記無線ネットワークを経由して前記複数の情報端末装置へ配信し，
　前記複数の情報端末装置は，日常的に使用されているタブレットや携帯電話であり，
当該日常的に使用されている場所に応じた避難口を示す地図情報を予め記憶し，
として当該地図情報を表示する画面
（３）本件特許発明３
　「請求項１又は２記載の警報システムに於いて，前記情報端末装置は，マルチウィンドウ形式の表示画面を有し，前記火災情報信号を受信した場合，前記火災警報画面を最前面に表示すると共に，前記地図画面を当該火災警報画面の下に表示し，利用者の所定の操作により当該地図画面を最前面に表示することを特徴とする警報システム。」
（４）本件特許発明４
　「請求項１又は２記載の警報システムに於いて，前記情報端末装置は，前記火災警報画面に，エレベータが使用できない旨を表示することを特徴とする警報システム。」
　４　取消理由通知に記載した取消理由について
（１）取消理由の概要
　当審が平成３１年４月２２日付けで特許権者に通知した取消理由は，先の訂正請求による訂正後の請求項２〜４に係る特許に対して通知したものであり，その概要は，次のとおりである。
　請求項２〜４に係る発明は，以下の刊行物１に記載された発明，及び，刊行物２，３，５，７，８のいずれかに示される周知技術に基づいて，当業者が容易に想到することができたものである。よって，請求項２〜４に係る特許は，特許法第２９条第２項の規定に違反してされたものであり，取り消されるべきものである。
　刊行物１：特開２０１１−２４２８８１号公報（異議申立人提出の甲第１号証）
　刊行物２：特開２００２−１８３８６４号公報（異議申立人提出の甲第２号証）
　刊行物３：特開平６−１１１１７２号公報（異議申立人提出の甲第３号証）
　刊行物５：特開平８−３０５９８５号公報（異議申立人提出の甲第５号証）
　刊行物７：特開２０１３−７３４１５号公報（異議申立人提出の甲第７号証）
　刊行物８：特表２００８−５２６０５８号公報（異議申立人提出の甲第８号証）
　なお，上記取消理由では，以下の刊行物は引用されていない。
　刊行物４：特開２００４−２７２３９８号公報（異議申立人提出の甲第４号証）
　刊行物６：特開平６−１１１１７２号公報（異議申立人提出の甲第６号証）
（２）刊行物１の記載，甲１発明
　ア　刊行物１（特開２０１１−２４２８８１号公報）には，図面とともに，以下の事項が記載されている（下線は当審による。）。
（ア）「【０００１】
　本発明は，避難誘導方法，及びこの方法に用いる情報処理システムに関し，とくに災害発生時に建物内に居る人を迅速かつ安全に避難させるための技術に関する。」
（イ）「【００２３】
　以下，本発明の一実施形態につき図面を参照しつつ説明する。
＝情報処理システム＝
　図１は実施形態として説明する情報処理システム１の概略的な構成を示している。
情報処理システム１は，火災，ガス漏れ，地震などの災害発生時に被災者の安全地帯への誘導が必要な施設（例えば，ホテル等の宿泊施設，オフィスビル，病院，校舎，ショッピングセンター，デパート，高層マンション，大型客船）に設けられる。以下の説明では，高層階のホテル２を施設の一例として説明する。
【００２４】
　同図に示すように，情報処理システム１は，ホテル２の所定位置に設けられる，サーバ装置１００，サーバ装置１００と通信ネットワーク５０を介して通信可能に接続される一台以上の基地局２００，
ホテル２の宿泊客や従業員等（以下，被誘導者３と称する。）によって所持される被誘導者端末３００
ホテル２内の随所に設けられサーバ装置１００と通信可能に接続される複数の災害検知センサ５００（火災検知センサ，地震計，ガス漏れ検知センサ等）
（ウ）「【００２６】
　
通信ネットワーク５０は有線通信方式又は無線通信方式で機器間を通信可能に接続する。
（エ）「【００３０】
　図３にサーバ装置１００の主な機能を示している。同図に示すように，
サーバ装置１００
災害情報管理部１２３
【００３１】
　被誘導者現在位置管理部１２１は，基地局２００と通信して被誘導者端末３００の現在位置（被誘導者３の現在位置）を取得する。
【００３２】
　避難誘導情報提供部１２２は，基地局２００を介して被誘導者端末３００と通信し，被誘導者端末３００に避難経路を案内する情報（以下，避難誘導情報と称する。）を提供する。
【００３３】
　
災害情報管理部１２３は，火災検知センサ５００から送られてくる情報に基づきホテル２内に現在生じている災害に関する情報を後述の災害情報１３６として管理する。
（オ）「【００４１】
　図６に被誘導者端末３００（救助者端末４００も共通）のハードウエア構成を示している。同図に示すように，被誘導者端末３００は，ＣＰＵ３１１，メモリ３１２，無線通信インタフェース３１３，指向性アンテナ３１４，タッチパネルや操作ボタン等の入力装置３１５，及び液晶ディスプレイ等の表示装置３１６を備える。ＣＰＵ３１１は，メモリ３１２に記憶されているプログラムを実行することにより被誘導者端末３００が備える各種の機能を実現する。尚，
被誘導者端末３００（又は救助者端末４００）は，携帯電話機等の他の用途に用いられる携帯機器のハードウエアを用いて構成してもよい。
【００４２】
　図７に
被誘導者端末３００（救助者端末４００も共通）が備える主な機能
情報送受信部３３２は，通信ネットワーク５０を介してサーバ装置１００と通信し，ファームウエア等の被誘導者端末３００で実行されるプログラムやデータの更新情報や被誘導者３（又は救助者４）に提示するための情報の受信（ダウンロード），及びサーバ装置１００において用いられる各種情報についての被誘導者端末３００（又は救助者端末４００）からサーバ装置１００への送信（アップロード）を行う。
（カ）「【００７３】
　図１８に災害情報１３６の一例を示す。
災害情報１３６には，ホテル２にて現在生じている災害に関する情報が格納されている。同図に示すように，災害情報１３６は，発生時刻１３６１，種類１３６２，階数１３６３，及び座標１３６４の各項目を有する一つ以上のレコードで構成される。
【００７４】
　発生時刻１３６１には，災害が発生した時刻（例えば，災害検知センサ５００に基づき災害の発生を検知した時刻）が設定される。種類１３６２には，その災害の種類（火災，ガス漏れ，地震等）を示す情報が設定される。階数１３６３には，その災害現場のフロア（階数）が設定される。座標１３６４には，そのフロアの災害の発生現場の位置を示す座標（例えばフロア毎に設定される平面座標系における座標）が設定される。」
（キ）「【００７８】
＜避難誘導＞
　次に情報処理システム１において行われる
避難誘導に関する処理
火災報知器の警報やホテル２の館内放送などによりホテル２内で災害が発生したことを知った被誘導者３が，入力装置３１５に対して所定の操作を行うことにより開始される。尚，災害発生時にサーバ装置１００から自動的に被誘導者端末３００に災害が発生した事を示す情報を表示して被誘導者３に災害の発生を通知するようにしてもよい。
（ク）「【００８２】
　次にサーバ装置１００は，避難経路情報１３５に登録されている避難経路のうち，被誘導者端末３００の現在位置（Ｓ２０１４で取得した階数と端末位置情報２１１１とで特定される位置）に対応する避難経路（以下，避難経路候補と称する。）を抽出する（Ｓ２０１５）。より具体的には，
避難経路情報１３５に登録されている避難経路のうち，適用階数１３５３と適用範囲１３５４とで特定される範囲に被誘導者端末３００の現在位置を含む避難経路（避難経路ＩＤ１３５１）を抽出する。
【００８３】
　
次にサーバ装置１００は，Ｓ２０１５にて抽出した避難経路候補のうち，災害発生現場を通る経路を除外する（Ｓ２０１６）。この処理は，例えば避難経路候補の避難経路１３５２とチェックポイント情報１３４とに基づき，各避難経路候補が災害情報１３６から取得される災害発生現場を通るか否かを判断することにより行う。
【００８４】
　
次にサーバ装置１００は，Ｓ２０１６にて除外されずに残った避難経路候補の夫々について，さらに条件を課して最終的に１つの避難経路を決定する（Ｓ２０１７）。
（ケ）「【００９１】
　
次にサーバ装置１００は，Ｓ２０１７にて決定した避難経路を案内する避難誘導情報を生成する（Ｓ２０１９）。ここで生成される避難誘導情報には，例えば，フロアマップ情報１３３から取得されるマップデータに，Ｓ２０１７にて決定した避難経路を案内するための画面データや，避難経路の周囲に存在する施設（例えば，客室，売店，自動販売機，給湯室，洗面所，エレベータ，階段，非常口，火災報知器など）の種類や位置を示す情報などが含まれる。
【００９２】
　次にサーバ装置１００は，生成した避難誘導情報を，避難誘導情報取得要求２１００を送信してきた被誘導者端末３００に送信する（Ｓ２０２０）。
【００９３】
　被誘導者端末３００は，サーバ装置１００から避難誘導情報を受信すると（Ｓ２０２１），受信した情報に基づく画面や音声案内を被誘導者３に提供する（Ｓ２０２２）。図２４に，被誘導者端末３００に避難誘導情報が表示されている様子を示す。同図に示すように，表示装置３１６には，被誘導者３の現在位置３１６１，施設の位置３１６３，
災害発生場所３１６４，及び避難経路３１６５が表示される。
【００９４】
　
以上によれば，サーバ装置１００は，携帯端末（被誘導者端末３００）による位置標定によって取得される正確な現在位置を用いて，被誘導者３に正確な避難経路を提供することができる。これによれば，被誘導者３は，正確な避難経路の情報を利用して，安全な場所に効率よく避難することができる。
（コ）図１
（サ）図２０
（シ）図２４
　イ　上記アから，以下のことがいえる。
　火災検知センサ，ガス漏れ検知センサ等の災害検知センサ５００は，ホテル２内に設けられる。（段落【００２４】）
　被誘導者端末３００は，携帯電話機を用いて構成され，ホテル２の宿泊客や従業員等によって所持され，無線通信方式等の通信ネットワーク５０を介してサーバ装置１００と通信し，情報の受信及び送信を行う。（段落【００２４】，【００２６】，【００４１】，【００４２】）
　被誘導者端末３００は複数存在する。（図１）
　災害検知センサ５００が火災検知センサであれば，当該火災検知センサが火災を検知した場合に情報をサーバ装置１００に送る。（段落【００２４】，【００３０】，【００３３】）
　サーバ装置１００が，災害発生時に被誘導者端末３００に災害が発生した事を示す情報を表示して被誘導者３に災害の発生を通知することで，ホテル２内で災害が発生したことを知った被誘導者３が，入力装置３１５に対して所定の操作を行うことにより，避難誘導に関する処理が開始される。（段落【００７８】）
　災害の発生の通知（段落【００７８】）は，火災検知センサが火災を検知した場合は，火災発生時のものであることが明らかである。
　避難誘導に関する処理において，サーバ装置１００は，抽出した避難経路候補から災害発生現場を通る経路を除外する際に除外されずに残った避難経路候補の中から，１つの避難経路を決定し，マップデータに当該決定した避難経路を案内するための画面データが含まれる避難誘導情報を生成して，被誘導者端末３００は，避難誘導情報に基づいて，災害発生場所３１６４，及び避難経路３１６５を表示する。（段落【００７８】，【００８２】〜【００８４】，【００９１】，【００９３】，図２０，２４）
　災害発生場所３１６４として，火災発生場所が表示される。（図２４）
　ウ　甲１発明
　上記ア，イによれば，刊行物１には次の発明（以下「甲１発明」という。）が記載されていると認められる。
　「ホテル内に設けられた火災検知センサ，ガス漏れ検知センサ等の災害検知センサと，
　ホテルの宿泊客や従業員等によって所持され，無線通信方式等の通信ネットワークを介してサーバ装置と通信し，情報の受信及び送信を行う複数の被誘導者端末と，
　災害発生時に被誘導者端末に災害が発生した事を示す情報を表示して被誘導者に災害の発生を通知するサーバ装置と，
を備え，
　ホテル内に設けられた火災検知センサが火災を検知した場合に情報をサーバ装置に送り，
　サーバ装置は，火災発生時に被誘導者端末に災害が発生した事を示す情報を表示して被誘導者に災害の発生を通知し，
　複数の被誘導者端末は，携帯電話機を用いて構成され，
　複数の被誘導者端末は，サーバ装置が災害発生時に被誘導者端末に災害が発生した事を示す情報を表示して被誘導者に災害の発生を通知することで，ホテル内で災害が発生したことを知った被誘導者が，入力装置に対して所定の操作を行うことにより開始される，避難誘導に関する処理において，サーバ装置が生成する避難誘導情報に基づいて，火災発生場所及び避難経路を表示し，ここで，避難経路は，抽出した避難経路候補から災害発生現場を通る経路を除外する際に除外されずに残った避難経路候補の中から，１つの避難経路を決定したものであり，避難誘導情報には，マップデータに当該決定した避難経路を案内するための画面データが含まれる，情報処理システム。」
（４）本件特許発明２についての対比・判断
　ア　本件特許発明２と甲１発明とを対比する。
（ア）甲１発明の「ホテル内」は，監視領域であり，同「火災検知センサ，ガス漏れ検知センサ等の災害検知センサ」は，異常検出信号を送信する検出器であるとともに，防災監視設備を構成しており，同「無線通信方式等の通信ネットワーク」は，「無線通信方式」の場合，無線ネットワークであり，同「被誘導者端末」は情報端末装置であり，同「情報処理システム」は警報システムであるといえる。
（イ）甲１発明の「被誘導者端末」は「ホテルの宿泊客や従業員等によって所持され」るから，監視領域に配置されるものであるといえる。
（ウ）甲１発明の「災害が発生した事を示す情報」は，本件特許発明２の「防災情報」に相当する。
（エ）本件特許明細書の例えば「アダプタ装置３０は，防災受信盤１０から火災受信に基づく移報信号を受信した場合に，当該移報信号に基づく火災情報信号を生成してＬＡＮ回線２６を経由して情報端末装置２４へ配信して火災情報を表示させる。」（段落【００３２】）との記載を参酌すると，本件特許発明２の「アダプタ装置」とは，受信した信号（移報信号）を変換して，他の信号（火災情報信号等）を生成する手段であるものと解される。
　一方，甲１発明の「被誘導者端末」は「通信ネットワークを介してサーバ装置と通信」することから，「サーバ装置」は，「被誘導者端末に災害が発生した事を示す情報を表示」するための信号を生成し，当該信号を通信ネットワークを経由して被誘導者端末へ配信することが必要であるところ，上記信号の生成が，「災害検知センサが火災等を検知した場合にサーバ装置に送る情報」に対応する信号をサーバ装置が変換することにより行われることが明らかである。
　したがって，甲１発明の「サーバ装置」は，変換前後の各信号の内容は別として，本件特許発明２の「アダプタ装置」に相当し，また，甲１発明の「被誘導者端末に災害が発生した事を示す情報を表示して被誘導者に災害の発生を通知するサーバ装置」と，本件特許発明２の「防災情報信号を生成し，当該防災情報信号を，前記無線ネットワークを経由して前記情報端末装置へ配信して防災情報を表示させるアダプタ装置」とは，「信号を生成し，当該信号を，無線ネットワークを経由して情報端末装置へ配信して防災情報を表示させるアダプタ装置」という点で共通している。
（オ）甲１発明において，「ホテル内に設けられた火災検知センサが火災を検知した場合に情報をサーバ装置に送」ることと，本件特許発明２において，「前記防災監視設備は，監視領域に配置した火災感知器で火災を検出した場合に火災検出信号を前記防災受信盤に送信」することとは，「防災監視設備は，監視領域に配置した火災感知器で火災を検出した場合に火災検出信号を送信」するという点で共通している。
（カ）上記（エ）と同様の理由により，甲１発明において「サーバ装置は，火災発生時に被誘導者端末に災害が発生した事を示す情報を表示して被誘導者に災害の発生を通知」することと，本件特許発明２において，「前記アダプタ装置」が「火災情報信号を生成し，所定のグループを指定して前記無線ネットワークを経由して前記複数の情報端末装置へ配信」することとは，「アダプタ装置は，火災発生時に信号を生成して無線ネットワークを経由して複数の情報端末装置へ配信」するという点で共通している。
（キ）甲１発明の「複数の被誘導者端末」は，「携帯電話機を用いて構成され」るから，本件特許発明２の「日常的に使用されているタブレットや携帯電話」と，「携帯電話」である点で共通している。
（ク）甲１発明の「複数の被誘導者端末」は，「サーバ装置が災害発生時に被誘導者端末に災害が発生した事を示す情報を表示して被誘導者に災害の発生を通知することで，ホテル内で災害が発生したことを知った被誘導者が，入力装置に対して所定の操作を行うことにより開始される，避難誘導に関する処理において，火災発生場所及び避難経路を表示する」から，「災害発生場所及び避難経路」の「表示」と，上記（エ）で検討した「サーバ装置」が生成する信号とは，被誘導者端末が後者の信号を受信した場合に，後者の信号に基づき，前者の表示を行う関係を有しているといえる。
　また，甲１発明の「複数の被誘導者端末」における「避難誘導情報」に基づく「火災発生場所及び避難経路」の表示は，「避難誘導情報」に「マップデータに当該決定した避難経路を案内するための画面データが含まれる」から，火災発生場所及び避難口を示す地図画面として地図情報を表示する画面を表示するものである。
　したがって，甲１発明において，「複数の被誘導者端末は，サーバ装置が災害発生時に被誘導者端末に災害が発生した事を示す情報を表示して被誘導者に災害の発生を通知することで，ホテル内で災害が発生したことを知った被誘導者が，入力装置に対して所定の操作を行うことにより開始される，避難誘導に関する処理において，サーバ装置が生成する避難誘導情報に基づいて，火災発生場所及び避難経路を表示」することと，本件特許発明２において，「前記複数の情報端末装置」が「当該日常的に使用されている場所に応じた避難口を示す地図情報を予め記憶し，前記無線ネットワークを経由して前記アダプタ装置からの火災情報信号を受信した場合に，当該火災情報信号に基づき，火災発生場所を示す火災警報画面及び直近の避難口を示す地図画面として当該地図情報を表示する画面を切り替え可能に表示する」こととは，「複数の情報端末装置は，無線ネットワークを経由してアダプタ装置からの信号を受信した場合に，当該信号に基づき，火災発生場所及び避難口を示す地図画面として地図情報を表示する画面を表示する」という点で共通している。
　イ　そうすると，本件特許発明２と甲１発明とは，以下の点で一致し，また，相違する。
（ア）一致点
　「監視領域に配置した検出器で異常を検出した場合に，異常検出信号を出力する防災監視設備と，
　前記監視領域に配置され，無線ネットワークを経由して信号を送受信する複数の情報端末装置と，
　信号を生成し，当該信号を，前記無線ネットワークを経由して前記情報端末装置へ配信して防災情報を表示させるアダプタ装置と，
を備え，
　前記防災監視設備は，監視領域に配置した火災感知器で火災を検出した場合に火災検出信号を送信し，
　前記アダプタ装置は，信号を生成して前記無線ネットワークを経由して前記複数の情報端末装置へ配信し，
　前記複数の情報端末装置は，携帯電話であり，前記無線ネットワークを経由して前記アダプタ装置からの信号を受信した場合に，当該信号に基づき，火災発生場所及び避難口を示す地図画面として地図情報を表示する画面を表示することを特徴とする警報システム。」
（イ）相違点１
　「防災監視設備」に関し，本件特許発明２では，検出器の他に「防災受信盤」から構成され，異常検出信号を当該「防災受信盤」に送信して「異常警報を出力する」と共に，「前記防災受信盤から，受信した異常に対応した移報信号を出力する」ものであるのに対し，甲１発明では，単に「災害検知センサ」から構成され，「防災受信盤」は存在せず，異常検出信号の送信先が「防災受信盤」ではない点。
　また，それに伴い，「アダプタ装置」が「信号を生成」するのが，本件特許発明２では，「防災受信盤から移報信号が出力された場合に，当該移報信号に基づく」ものであるのに対し，甲１発明では，その特定がない点。
（ウ）相違点２
　「アダプタ装置」が「生成」する「信号」の内容が，本件特許発明２では「防災情報信号」であるのに対し，甲１発明では内容が特定されない点。
（エ）相違点３
　相違点１に関連して，本件特許発明２では，火災検出信号を「防災受信盤」に送信し，かつ当該「防災受信盤」が「火災警報を出力すると共に」，当該「防災受信盤」から「火災発生場所を含む移報信号を出力」するのに対し，甲１発明では，「防災受信盤」が存在せず，火災検出信号の送信先が「防災受信盤」ではない点。
　また，それに伴い，「アダプタ装置」が「信号を生成」するのが，本件特許発明２では，「前記防災受信盤からの火災発生場所を含む移報信号を受信した場合に，当該移報信号に基づ」いているのに対し，甲１発明では，その特定がない点。
（オ）相違点４
　相違点２に関連して，「アダプタ装置」が「生成」する「信号」の内容が，本件特許発明２では「火災警報及び火災発生場所を含む火災情報信号」であるのに対し，甲１発明では内容が特定されない点。
　また，それに伴い，「複数の情報端末装置」が「表示する」のが，本件特許発明２では，「火災情報信号」を受信した場合であり，当該信号に基づいて「火災発生場所を示す火災警報画面」を表示するのに対し，甲１発明では，受信する信号が特定されず，表示内容も「災害発生場所」であって「火災発生場所を示す火災警報画面」ではない点。
（カ）相違点５
　「携帯電話」が，本件特許発明２では「日常的に使用されている」ものであるのに対し，甲１発明ではその特定がない点。
（キ）相違点６
　「前記複数の情報端末装置」が，本件特許発明２では，「当該日常的に使用されている場所に応じた避難口を示す地図情報を予め記憶」するとともに，「地図情報を表示する画面」に表示する「避難口」が，本件特許発明２では，「直近の」ものであるのに対し，甲１発明ではそれらの特定がない点。
（ク）相違点７
　「火災発生場所」を表示することが，本件特許発明２では，「直近の避難口を示す地図画面として当該地図情報を表示する画面」とは別の，「火災発生場所を示す火災警報画面」において行われるのに対し，甲１発明で「火災発生場所及び避難経路」を表示するものとして行われる点。また，画面表示の態様が，本件特許発明２では「切り替え可能に」であるのに対し，甲１発明ではその特定がない点。
　ウ　事案に鑑み，まず相違点６について検討する。
　甲１発明において，個々の「被誘導者端末」に表示される「避難経路」は，「抽出した避難経路候補から災害発生現場を通る経路を除外する際に除外されずに残った避難経路候補の中から，１つの避難経路を決定したもの」であるから，「避難経路」は，災害発生現場に対応して変化することが明らかである。
　一方，特開平６−１１１１７２号公報（刊行物６，異議申立人提出の甲第６号証）には，「表示装置１０１及び記憶装置１０７を備える情報出力システム１００（段落【００３１】）において，表示装置１０１あるいは情報出力システム１００の設置場所が会議室とされ，記憶装置１０７が，地震時の避難経路の地図とが含まれている避難情報であって，会議室のある建物における位置あるいは環境またその建物の敷地条件等に応じてカスタマイズされた避難情報を記憶し（段落【００３８】），表示装置１０１の信号検出部１０４が緊急地震速報の信号を検出すると（段落【００３２】，【００４４】），記憶装置１０７から地震時の対処方法と地震時の避難経路の地図とが含まれている避難情報を読み出し（段落【００４６】），避難情報の映像データを表示装置１０１へ送信して表示部１０５にて表示させる（段落【００４８】）こと」が記載されていると認められる。
　しかしながら，刊行物６の上記記載事項において，情報出力システム１００の記憶装置１０７に記憶される避難経路の地図が，会議室のある建物における「直近の避難口」までの経路であるとしても，仮に甲１発明に当該記載事項を適用した場合，表示される避難経路は，災害発生現場の場所にかかわらず変化することのない，固定的なものとなるところ，刊行物１には，災害発生現場と無関係に「直近の避難口」を固定的に表示する必然性について記載も示唆もないことから，甲１発明に当該記載事項を適用する動機付けはない。
　むしろ，甲１発明は，災害発生現場に対応して変化する避難経路を表示することにより，刊行物１の段落【００９４】（上記（２）ア（ケ））に記載されているように，「サーバ装置１００は，携帯端末（被誘導者端末３００）による位置標定によって取得される正確な現在位置を用いて，被誘導者３に正確な避難経路を提供することができる」ものであるから，刊行物６の上記記載事項を適用することには，「正確な避難経路」が提供できなくなる点で阻害要因があるといえる。
　また，他に，相違点６に係る構成が当業者が容易に想到し得るとする根拠は見出せない。
　エ　よって，他の相違点について検討するまでもなく，本件特許発明２は，甲１発明に基づいて当業者が容易に想到し得るものとはいえない。
（５）本件特許発明１，３，４についての対比・判断
　本件特許発明１は，本件特許発明２において，「無線ネットワーク」を「ネットワーク」で，「タブレットや携帯電話」を「パソコン」で，それぞれ置き換えたものであるから，本件特許発明１を甲１発明と対比した場合の相違点には，相違点６（上記（４）イ（キ））が含まれる。
　また，本件特許発明３，４は請求項１又は２を引用している。
　そうすると，本件特許発明１，３，４も，本件特許発明２と同様に，甲１発明に基づいて当業者が容易に想到し得るものとはいえない。
　５　先の取消理由通知書において採用しなかった特許異議申立理由について
（１）特許異議申立人は，特許異議申立書において，本件特許の明細書及び図面は，当業者が本件特許の請求項１〜４に係る発明（当審注：訂正前のもの）を実施することができる程度に明確かつ十分に記載されたものではなく，また，本件特許の請求項１〜４に係る発明は，本件特許の明細書及び図面に記載された範囲を超える発明であって，特許法第３６条第４項第１号及び同条第６項第１号に規定する要件を満たしていない旨，主張する。
　上記主張の理由として指摘されている内容は，概ね次のとおりである。
　本件特許の明細書には，情報端末装置において直近の避難口を示す地図画面を表示する手法として，情報端末装置の設置場所に応じて避難ロを示したフロアマップ情報を予め情報端末装置に記憶させ，これを用いて直近の避難口を示す方法しか記載されておらず，これは，情報端末装置の設置場所が特定されていない場合には用いることができない手法であって，その場合において，どのようにして直近の避難口を特定し，これを示す地図情報を表示するのかは全く示されていない。しかしながら，本件特許発明１においては，情報端末装置は，「日常的に使用されているパソコン」とされており，また，本件特許発明２においては，情報端末装置は，「日常的に使用されているタブレットや携帯電話」とされているところ，「日常的に使用されているパソコン」が，例えばノートパソコン等，必ずしも設置場所が特定されていないものを含むことは明らかであり，また，「日常的に使用されているタブレットや携帯電話」に至っては，およそ設置場所が特定されていることなど考え難い。
（２）また，特許異議申立人は，令和元年８月１５日に提出された意見書（以下，単に「意見書」という。）において，本件特許発明１〜４は，明確でなく，発明の詳細な説明に記載されていないから，特許法第３６条第６項第１号及び第２号に規定する要件を満たしていない旨，主張するとともに，本件特許の発明の詳細な説明は，当業者が本件特許発明１〜４の実施をすることができる程度に明確かつ十分に記載したものではなく，特許法第３６条第４項第１号に規定する要件を満たしていない旨，主張する。
　上記主張の理由として指摘されている内容は，概ね次のとおりである。
　本件特許発明２における，特定の設置場所が存在せず，その所在が一か所に定まらないタブレットや携帯電話については，これが使用される場所には，極めて多くの場所が含まれるから，どの範囲までが，「日常的に使用されている場所」に該当し，かつ，それぞれの場所において，どのような地図情報が，その「場所に応じた避難口を示す地図情報」に該当するのかは，請求項２の記載のみからでは，当業者にとって不明である。また，本件特許の明細書には，「設置場所」が存在し得ないタブレットや携帯電話について，「日常的に使用されている場所に応じ避難口を示す地図情報」が，いかなる場所に対応した，いかなる地図情報を意味するかについての記載は一切存在しない。したがって，いかなる場所に対応した，いかなる地図情報であれば，本件特許発明２の「日常的に使用されている場所に応じた避難口を示す地図情報」という発明特定事項に含まれるかは，明細書の記載を考慮しても，当業者にとって到底理解できるものではないから，本件特許発明２は明確でない。
　発明の詳細な説明には，情報端末装置がタブレットや携帯電話である場合について，「日常的に使用されている場所に応じた避難口を示す地図情報」として，いかなる場所に対応して，それぞれの場所についていかなる情報を記憶することで，本件特許発明２に係る発明を実現し得るかにつき，その一例さえも記載されていない。
　この点に鑑みれば，本件特許発明２は，発明の詳細な説明に記載された範囲を超える発明であり，発明の詳細な説明の記載により当業者が当該発明の課題を解決できると認識できる範囲のもの，又はその記載や示唆がなくとも当業者が出願時の技術常識に照らし当該発明の課題を解決できると認識できる範囲のものに該当しないから，本件特許発明２は発明の詳細な説明に記載したものではなく，また，タブレットや携帯電話について，これが日常的に使用されている場所として，極めて多くの場所が想定される本件特許発明２について，それぞれの場所に応じて「避難口を示す地図情報」を記憶させ，本件特許発明２の全体を実施するに足る記載が，発明の詳細な説明に存在しないことは明白であり，本件特許発明２に係る発明の全体を実施することに，当業者に期待し得る程度を越える試行錯誤や創意工夫を強いる事情のある場合に該当することは明らかであるから，発明の詳細な説明の記載は，本件特許発明２につき，当業者がその実施をすることができる程度に明確かつ十分に記載したものではない。
　本件特許発明１についても，少なくとも情報端末装置としてのパソコンがモバイル端末としてのノートパソコンである場合については本件特許発明２と同様に解される以上，「日常的に使用されている場所に応じた避難口を示す地図情報」を予め記憶するという発明特定事項を含む本件特許発明１が，本件特許発明２と同様に，明確でないものとして特許法第３６条第６項第２号に規定する要件を満たしておらず，発明の詳細な説明に記載したものではないものとして特許法第３６条第６項第１号に規定する要件を満たしておらず，かつ，本件特許の発明の詳細な説明の記載が本件特許発明１につき当業者が実施をすることができる程度に明確かつ十分に記載したものではないものとして特許法第３６条第４項第１号に規定する要件を満たしていないことは明らかである。
　本件特許の明細書においては，本件特許に係る発明が奏すべき効果として，「……この防災情報表示として火災発生場所や直近の避難口を表示することで，発生した火災の状況を正確に把握でき，防災受信盤と同等な火災情報を情報端末装置の使用者毎に個別に表示し，迅速且つ適切な初期消火や避難行動といった火災対処を可能とする。」という効果が掲げられている（段落【００１６】）が，本件特許発明１における情報端末装置としてのパソコンを，特定の設置場所が存在する据え置き型のものに限定的に解したとしても，本件特許発明１によってこのような効果が得られるのは，一部の場合に過ぎないから，どの範囲までが本件特許が奏すべき効果を得られるのかは不明であり，本件特許発明１は，依然として明確でないものとして特許法第３６条第６項第２号に規定する要件を満たしておらず，発明の詳細な説明に記載したものではないものとして特許法第３６条第６項第１号に規定する要件を満たしておらず，かつ，本件特許の発明の詳細な説明の記載が本件特許発明１につき当業者が実施をすることができる程度に明確かつ十分に記載したものではないものとして特許法第３６条第４項第１号に規定する要件を満たしていない。
（３）そこで，本件特許発明１〜４について，特許請求の範囲の記載が特許法第３６条第６項第１号，同第２号に規定する要件を満たしているか否か，及び，発明の詳細な説明の記載が特許法第３６条第４項第１号に規定する要件を満たしているか否か，検討する。
　本件特許発明１，２の「複数の情報端末装置」は，いずれも，「前記監視領域に配置され」るものであるから，それらの設置場所である「日常的に使用されている場所」を，「監視領域」におけるいずれかの場所として特定できることは，明らかであり，当該設置場所は「監視領域」内に限られるから，特許異議申立人のいうような「極めて多くの場所」が含まれるものではない。
　そして，この点は，「情報端末装置」が，本件特許発明１のように「日常的に使用されているパソコン」であることや，本件特許発明２のように「日常的に使用されているタブレットや携帯電話」であることとは無関係であり，パソコンや携帯電話がともに移動可能であって後者は前者よりも移動性が高いとしても，「監視領域」内のある場所に留まっているものとして，実質的な設置場所を特定できることは明らかであって，移動可能であるという理由で設置場所を特定し得ないとすることはできない。
　よって，本件特許発明１，２のそれぞれの「複数の情報端末装置」である「日常的に使用されているパソコン」，「日常的に使用されているタブレットや携帯電話」は，いずれも，「監視領域」において設置場所が特定可能であり，本件特許発明１，２の「当該日常的に使用されている場所に応じた避難口」とは，「パソコン」等の設置場所が特定可能であることを前提に，当該特定される設置場所に対応する避難口を意味していると理解でき，発明の詳細な説明の「情報端末装置２４は，その設置場所に応じて避難口を示したフロアマップ情報を予め記憶しており」（段落【００６１】）との記載における「その設置場所に応じて避難口を示したフロアマップ情報」についても同様に，当該特定される設置場所に対応する避難口を示した情報であると理解できる。
　また，段落【００１６】の記載によれば，明細書に記載されている発明の解決しようとする課題には，「発生した火災の状況を正確に把握でき，防災受信盤と同等な火災情報を情報端末装置の使用者毎に個別に表示し」た上で，「迅速且つ適切な初期消火」という「火災対処」を可能とすることが含まれており，本件特許発明１は当該課題を解決できることが明らかである。一方，上記段落に，「初期消火」とは異なる「火災対処」として記載されている「避難行動」については，本件特許発明１において，利用できない「直近の避難口」が表示される場合が想定できるとしても，その場合は，当該避難口を利用しない避難行動が促されるといえる。
　したがって，本件特許発明１は，発明の詳細な説明に記載された発明の課題が解決できることを当業者において認識できる範囲を超えるものではない。そして，この点は本件特許発明２についても同様である。
　以上によれば，請求項１又は２を引用する本件特許発明３，４も含め，本件特許発明１〜４は，明確であるとともに，発明の詳細な説明に記載された発明であるから，特許請求の範囲の記載は，特許法第３６条第６項第１号，同第２号に規定する要件を満たしている。
　また，発明の詳細な説明の記載は，当業者が本件特許発明１〜４を実施をすることができる程度に明確かつ十分に記載したものであって，特許法第３６条第４項第１号に規定する要件を満たしている。
　したがって，特許異議申立人の上記（１），（２）の各主張はいずれも理由がない。
　６　むすび
　以上のとおりであるから，取消理由通知に記載した取消理由及び特許異議申立書並びに意見書に記載した特許異議申立理由によっては，本件請求項１〜４に係る特許を取り消すことはできない。
　また，他に本件請求項１〜４に係る特許を取り消すべき理由を発見しない。
　よって，結論のとおり決定する。
【異議決定日】
令和１年９月５日（２０１９．９．５）
【訂正の要旨】
審決（決定）の【理由】欄参照。
（５４）【発明の名称】
警報システム
　【技術分野】
　【０００１】
　本発明は、監視領域に設置した火災感知器により検出した火災等の異常を防災受信盤で受信して警報する警報システムに関する。
　【背景技術】
　【０００２】
　従来、オフィスビルなどの施設にあっては、火災、ガス漏れなどの異常を検知して防災受信盤から異常発生を示す警報を出力するようにした防災監視設備が設置されている。
　【０００３】
　このような防災監視設備にあっては、例えば火災を検出した火災感知器からの火災検出信号を防災受信盤で受信した場合、防災受信盤で代表火災表示を行うと共に主音響警報を出力し、更に、火災発生階およびその直上階に設置した地区音響装置から地区音響警報を出力して火災発生を報知するようにしている。
　【０００４】
　また施設の規模が大きい場合には、非常放送設備を設置している。非常放送設備は、防災監視設備と連動し、火災が発生した場合に防災受信盤から出力される移報信号に基づき非常放送設備を動作し、建物内の廊下などに設置したスピーカから避難誘導のガイダンスを含む一斉非常放送を流し、速やかな避難を促すようにしている。
　【先行技術文献】
　【特許文献】
　【０００５】
　【特許文献１】特開２００９−０３７４３８号公報
　【特許文献２】特開２００４−３１０６２９号公報
　【発明の概要】
　【発明が解決しようとする課題】
　【０００６】
　しかながら、このような従来の防災監視設備にあっては、防災受信盤では火災発生場所を示す地区表示を含む火災に関する詳細な情報が得られるが、オフィスビルなどの監視領域で働いている人は、地区音響装置による火災警報や連動する非常放送設備の一斉非常放送により火災の発生を知ることはできるが、火災発生場所などの詳細な情報を得ることができず、また、場所によっては警報音や放送音が聞こえづらい場合もあり、更に、聴覚障害者には音による火災警報が届かない場合もある。
　【０００７】
　本発明は、オフィスビルなどの監視領域に、ネットワーク通信機能を備えたパソコン等の情報端末装置が存在することに着目し、これら情報端末装置に防災監視設備を連携させることで、火災等の異常事態の発生を迅速且つ広範に周知可能として避難などの適正な対処行動を可能とする警報システムを提供することを目的とする。
　【課題を解決するための手段】
　【０００８】
（警報システム）
　本発明は、警報システムに於いて、
　監視領域に配置した検出器で異常を検出した場合に、異常検出信号を防災受信盤に送信して異常警報を出力すると共に、防災受信盤から、受信した異常に対応した移報信号を出力する防災監視設備と、
　監視領域に配置され、ネットワークを経由して信号を送受信する複数の情報端末装置と、
　防災受信盤から移報信号が出力された場合に、当該移報信号に基づく防災情報信号を生成し、当該防災情報信号を、ネットワークを経由して情報端末装置へ配信して防災情報を表示させるアダプタ装置と、
を備え、
　防災監視設備は、監視領域に配置した火災感知器で火災を検出した場合に火災検出信号を防災受信盤に送信して火災警報を出力すると共に、防災受信盤から、火災発生場所を含む移報信号を出力し、
　アダプタ装置は、防災受信盤からの火災発生場所を含む移報信号を受信した場合に、当該移報信号に基づき、火災警報及び火災発生場所を含む火災情報信号を生成してネットワークを経由して複数の情報端末装置へ配信し、
　複数の情報端末装置は、日常的に使用されているパソコンであり、
当該日常的に使用されている場所に応じた避難口を示す地図情報を予め記憶し、
として当該地図情報を表示する画面
　【０００９】
（警報システム）
　本発明は、警報システムに於いて、
　監視領域に配置した検出器で異常を検出した場合に、異常検出信号を防災受信盤に送信して異常警報を出力すると共に、防災受信盤から、受信した異常に対応した移報信号を出力する防災監視設備と、
　監視領域に配置され、無線ネットワークを経由して信号を送受信する複数の情報端末装置と、
　防災受信盤から移報信号が出力された場合に、当該移報信号に基づく防災情報信号を生成し、当該防災情報信号を、無線ネットワークを経由して情報端末装置へ配信して防災情報を表示させるアダプタ装置と、
を備え、
　防災監視設備は、監視領域に配置した火災感知器で火災を検出した場合に火災検出信号を防災受信盤に送信して火災警報を出力すると共に、防災受信盤から、火災発生場所を含む移報信号を出力し、
　アダプタ装置は、防災受信盤からの火災発生場所を含む移報信号を受信した場合に、当該移報信号に基づき、火災警報及び火災発生場所を含む火災情報信号を生成して無線ネットワークを経由して複数の情報端末装置へ配信し、
　複数の情報端末装置は、日常的に使用されているタブレットや携帯電話であり、
当該日常的に使用されている場所に応じた避難口を示す地図情報を予め記憶し、
として当該地図情報を表示する画面
　【００１０】
　情報端末装置は、マルチウィンドウ形式の表示画面を有し、火災情報信号を受信した場合、火災警報画面を最前面に表示すると共に、地図画面を当該火災警報画面の下に表示し、利用者の所定の操作により当該地図画面を最前面に表示する。
　【００１１】
　情報端末装置は、火災警報画面に、エレベータが使用できない旨を表示する。
　【発明の効果】
　【００１６】
　本発明の警報システムによれば、監視領域に配置した検出器で異常、例えば火災を検出した場合に、火災検出信号を防災受信盤に送信して火災警報を出力すると共に防災受信盤から、受信した火災に対応した移報信号をアダプタ装置へ出力し、この移報信号に基づきアダプタ装置で所定の火災情報信号を生成し、これをＬＡＮなどのネットワークを経由してネットワーク上の全ての情報端末装置へ配信して火災情報を一斉に表示させるようにしたため、防災監視設備による地区音響警報や非常放送設備との連動による一斉非常放送に加え、例えば監視領域となるオフィスビルで働いている人が日常的に使用しているパソコン等の情報端末装置に、防災受信盤の移報出力に基づきアダプタ装置を経由して送られてきた火災情報信号に基づく火災情報の表示が割込み的に行われ、この防災情報表示として火災発生場所や直近の避難口を表示することで、発生した火災の状況を正確に把握でき、防災受信盤と同等な火災情報を情報端末装置の使用者毎に個別に表示し、迅速且つ適切な初期消火や避難行動といった火災対処を可能とする。
　【図面の簡単な説明】
　【００１７】
　【図１】本発明による警報システムの実施形態を示した説明図
　【図２】図１の防災受信盤とアダプタ装置の概略構成を示したブロック図
　【図３】情報端末装置の火災警報画面の例を示した説明図
　【図４】本発明による警報システムの他の実施形態を示した説明図
　【図５】図４の防災受信盤とアダプタ装置の概略構成を示したブロック図
　【発明を実施するための形態】
　【００１８】
［警報システムの構成］
（システム構成の概略）
　図１は、本発明による警報システムの実施形態を示した説明図である。図１に示すように、警報システムを設置する建物１１は例えば３階建てであり、火災、ガス漏れ等を監視する防災監視設備を設置している。
　【００１９】
　防災監視設備は、１Ｆの防災センタ等に防災受信盤１０を設置し、各階に設置した火災感知器１４を、防災受信盤１０から各階に引き出した感知器回線１２に接続している。
　【００２０】
　火災感知器１４は感知区画の煙濃度又は温度を検出し、煙濃度又は温度が所定の閾値を超えた場合に火災と判断し、火災検出信号を防災受信盤１０へ出力する。具体的には、火災感知器１４は感知器回線１２を介して防災受信盤１０から直流電源の供給を受けて動作しており、火災を検出すると感知器回線１２間を低インピーダンスに短絡して発報電流を流すことで、火災検出信号を防災受信盤１０へ送出する。
　【００２１】
　また、建物１１の例えば２Ｆ，３Ｆにはガス漏れ検出器１６を設置し、防災受信盤１０から引き出された信号回線１８に接続している。ガス漏れ検出器１６は都市ガス等の検知ガスに対し感度をもち、検出濃度が所定の閾値を超えるとガス漏れと判断し、ガス漏れ検出信号を防災受信盤１０へ送出する。
　【００２２】
　また、建物１１の例えば２Ｆ，３Ｆには非常通報装置２０を設置し、防災受信盤１０から引き出された信号回線２２に接続している。非常通報装置２０は非常押し釦を備え、非常事態が発生した場合に利用者が非常押し釦を押圧操作するとスイッチがオンし、非常通報信号を防災受信盤１０へ送出する。
　【００２３】
　防災受信盤１０は、火災感知器１４からの火災検出信号を受信した場合、受信した回線により火災発生地区として例えば火災発生階を認識し、火災代表灯を点灯して主音響警報を出力すると共に、火災発生階を示す地区表示を行い、更に、火災発生階及び直上階に設置している地区音響装置（図示せず）を作動して地区音響警報を出力させる。
　【００２４】
　また、防災受信盤１０は、ガス漏れ検出器１６からのガス漏れ検出信号を受信した場合、ガス漏れ代表灯を点灯してガス漏れ音響警報を出力する。
　【００２５】
　また、防災受信盤１０は、非常通報装置２０からの非常通報信号を受信した場合、非常通報代表灯を点灯して非常通報音響警報を出力する。
　【００２６】
　更に、防災受信盤１０は、火災検出信号、ガス漏れ検出信号又は非常通報信号を受信した場合、それぞれに対応した移報信号を外部に出力し、外部機器を作動させることを可能としている。
　【００２７】
　方、建物１１に企業等が入居している場合、各階に社員が使用するパソコン等の情報端末装置２４が配置されており、情報端末装置２４はルータ２８を備えたＬＡＮ回線２６に接続され、例えばイーサネット（登録商標）などの所定の通信プロトコルにしたがって例えばパケット形式の信号を送受信可能とし、またルータ２８を介して外部のインターネットとの通信接続を可能としている。
　【００２８】
　なお、ＬＡＮ回線２６に対する情報端末装置２４の接続は、ルータ２８に対し例えば階毎にハブを接続し、このハブに複数の情報端末装置２４を接続するが、これは省略して単にＬＡＮ回線２６との接続で示している。
　【００２９】
　防災監視設備に設けた防災受信盤１０とＬＡＮ回線２６で接続されたネットワーク上の情報端末装置２４を連携するため、防災受信盤１０とＬＡＮ回線２６の間にアダプタ装置３０を設けている。アダプタ装置３０は、防災受信盤１０から移報信号が出力された場合に、この移報信号に基づき防災情報信号を生成し、これをＬＡＮ回線２６を経由して情報端末装置２４へ配信して防災情報を表示させる。
　【００３０】
　アダプタ装置３０による防災情報の配信は、ブロードキャスト通信又はマルチキャスト通信により行う。ブロードキャスト通信の場合、アダプタ装置３０はＬＡＮ回線２６に接続しているネットワーク上の全ての情報端末装置２４へパケット形式の防災情報信号を配信する。
　【００３１】
　マルチキャスト通信の場合、ＬＡＮ回線２６に接続しているネットワーク上の全て又は一部の情報端末装置２４で１つのグループを構成し、アダプタ装置３０は、防災情報信号をグループを指定したマルチキャスト通信により配信して、グループに属する全ての情報端末装置２４で防災情報を一斉に表示させる。
　【００３２】
　具体的には、アダプタ装置３０は、防災受信盤１０から火災受信に基づく移報信号を受信した場合に、当該移報信号に基づく火災情報信号を生成してＬＡＮ回線２６を経由して情報端末装置２４へ配信して火災情報を表示させる。
　【００３３】
　また、アダプタ装置３０は、防災受信盤１０からガス漏れ受信に基づく移報信号を受信した場合に、当該移報信号に基づくガス漏れ情報信号を生成してＬＡＮ回線２６を経由して情報端末装置２４へ配信してガス漏れ情報を表示させる。
　【００３４】
　更に、アダプタ装置３０は、防災受信盤１０から非常通報受信に基づく移報信号を受信した場合に、当該移報信号に基づく非常通報情報信号を生成してＬＡＮ回線２６を経由して情報端末装置２４へ配信して非常通報情報を表示させる。
　【００３５】
　［防災受信盤の構成］
　図２は図１の防災受信盤とアダプタ装置の機能構成の概略を示したブロックである。図２に示すように、防災受信盤１０は、受信制御部３２、火災受信部３４、ガス漏れ受信部３６、非常通報受信部３８、表示部４０、音響警報部４２、操作部４４、移報部４６及び電源部４８を備える。
　【００３６】
　受信制御部３２は、例えばプログラムの実行により実現される機能であり、ハードウェアとしてはＣＰＵ、メモリ、各種の入出力ポート等を備えたコンピュータ回路等を使用する。
　【００３７】
　火災受信部３４は、感知器回線１２を介して接続した火災感知器１４（図１参照）で火災を検出した場合に流れる発報電流を検出して火災検出信号を受信制御部３２に出力する。
　【００３８】
　ガス漏れ受信部３６は、信号回線１８を介して接続したガス漏れ検出器１６（図１参照）でガス漏れを検出した場合に流れる検出電流を検出してガス漏れ検出信号を受信制御部３２に出力する。
　【００３９】
　非常通報受信部３８は、信号回線２２を介して接続した非常通報装置２０（図１参照）の押釦操作によるスイッチオンで流れる検出電流を検出して非常通報検出信号を受信制御部３２に出力する。
　【００４０】
　表示部４０は、火災代表灯、ガス漏れ代表灯、非常通報代表灯、地区表示灯などを備え、火災、ガス漏れ、非常通報の受信に対応した受信制御部３２の指示を受けて対応する代表灯を表示駆動する。
　【００４１】
　音響警報部４２は、スピーカとその駆動回路を備え、火災、ガス漏れ、非常通報の受信に対応した受信制御部３２の指示を受けて対応する主音響警報音を出力する。また音響警報部４２には地区音響制御部が設けられており、火災の受信に対応した受信制御部３２の指示を受けて、火災発生階およびその直上階に設置している地区音響装置へ制御信号を出力して地区音響警報を出力させる。
　【００４２】
　操作部４４は、受信制御盤１０の操作に必要な各種の操作スイッチを備える。
　【００４３】
　移報部４６は、火災、ガス漏れ又は非常通報の受信に対応した受信制御部３２の指示を受け、火災、ガス漏れ又は非常通報を示す移報信号をアダプタ装置３０へ出力する。移報部４６から出力する移報信号は、火災、ガス漏れ又は非常通報を示す警報種別情報と、火災、ガス漏れ又は非常通報の発生場所を示す情報を含むようにする。
　【００４４】
　電源部４８は、商用交流電源から電力供給を受けて直流電力に変換し、防災受信盤１０の各部に直流電力を供給すると共に、感知器回線１２を介して火災感知器１４へ直流電源を供給している。また、電源部４８はバッテリーを用いた予備電源を備え、商用交流電源の停電時には、予備電源に自動的に切り替わって所定時間のあいだ直流電源を供給可能とする。
　【００４５】
　受信制御部３２は、火災感知器１４からの発報電流に基づく火災受信部３４からの火災検出信号の受信を検出した場合、表示部４０に指示して火災代表灯を点灯させると共に、音響警報部４２に指示して火災を示す主音響警報を出力させ、また地区音響制御信号を火災発生階及びその直上階の地区音響装置に出力して地区音響警報を出力させ、更に移報部４６に指示し、火災警報と火災発生場所を示す情報を含む移報信号をアダプタ装置３０へ出力させる制御を行う。
　【００４６】
　また、受信制御部３２は、ガス漏れ検出器１６からの信号に基づきガス漏れ受信部３６が出力したガス漏れ検出信号を検出した場合、表示部４０に指示してガス漏れ代表灯を点灯させると共に、音響警報部４２に指示してガス漏れを示す主音響警報を出力させる制御を行う。
　【００４７】
　また、受信制御部３２は、非常通報装置２０からの信号に基づき非常通報受信部３８が出力した非常通報信号を検出した場合、表示部４０に指示して非常通報代表灯を点灯させると共に、音響警報部４２に指示して非常通報を示す主音響警報を出力させる制御を行う。
　【００４８】
　［アダプタの構成］
（アダプタの概要）
　図２に示すように、アダプタ装置３０は、制御部５０、移報受信部５２、及び有線ＬＡＮ通信部５４を備え、図示しない電源装置或いは防災受信盤１０の電源部４８から電源供給を受けて動作する。制御部５０は、例えばプログラムの実行により実現される機能であり、ハードウェアとしてはＣＰＵ、メモリ、各種の入出力ポート等を備えたコンピュータ回路等を使用する。
　【００４９】
　移報受信部５２は、移報信号線５８を介して防災受信盤１０の移報部４６と接続され、火災、ガス漏れ又は非常通報に基づく移報信号を受信して制御部５０に出力する。防災受信盤１０の移報部４６とアダプタ装置３０の移報受信部５２との間の信号の送受信は、例えばＲＳ２３２などのインタフェースを使用する。
　【００５０】
　有線ＬＡＮ通信部５４は、例えばＩＥＥＥ８０２．３に準拠したイーサネット（登録商標）の通信プロトコルに従ってＬＡＮ回線２６を介して情報端末装置２４との間でフレーム形式の信号を送受信する。
　【００５１】
　制御部５０は、移報受信部５２を介して火災を示す移報信号の受信を検出した場合、この移報信号に基づき、情報端末装置２４にアプリケーションプログラムとして設けた警報表示機能の起動コマンド、少なくとも火災警報と火災発生場所を示す火災情報を含むパケット形式の火災情報信号を生成し、有線ＬＡＮ通信部５４に指示して、ブロードキャスト通信又はマルチキャスト通信により、ＬＡＮ回線２６に接続した情報端末装置２４へ送信させる制御を行う。
　【００５２】
　ここで、制御部５０の指示によるブロードキャスト通信は、情報端末装置２４のＩＰアドレスの内、ネットワークアドレス部はそのままで、ホストアドレス部をオール１にしたブロードキャストアドレスを宛先アドレスに設定して行う。このブロードキャストアドレスを宛先アドレスとしたパケット信号の送信により、ルータ２８の手前のＬＡＮ回線２６に接続している全ての情報端末装置２４にパケット信号を一斉に送信することができる。
　【００５３】
　また、制御部５０の指示によるマルチキヤスト通信は、特定のノードから特定のグループに属するノードの全てにデータを送る通信であり、ＬＡＮ回線２６に接続した情報端末装置２４からルータ２８に自己の所属するグループを予め登録してリストを作っておき、アダプタ装置３０は情報端末装置２４の属するグループを宛先とするパケット信号を１つだけ送信すると、これをルータ２８が受信してリストから宛先の情報端末装置２４を認識し、宛先の数だけパケット信号をコピーして、それぞれに転送する。
　【００５４】
　このため、マルチキャスト通信とすることで、ルータ２８に対し配信先とする情報端末装置２４の登録により、ＬＡＮ回線２６に接続している情報端末装置２４の全部又は一部に対しパケット信号を送信することができる。なお、マルチキャスト通信はルータ２８を超えて他のネットワークへ通信することはできないことから、その場合には、ブロードキャスト通信とすれば良い。
　【００５５】
　また、制御部５０は、移報受信部５２を介して、例えばガス漏れを示す移報信号の受信を検出した場合、この移報信号に基づき、情報端末装置２４にアプリケーションプログラムとして設けた警報表示機能の起動コマンド、少なくともガス漏れ警報とガス漏れ発生場所を示す情報を含むパケット形式のガス漏れ情報信号を生成し、有線ＬＡＮ通信部５４に指示して、ブロードキャスト通信又はマルチキャスト通信により、ＬＡＮ回線２６に接続した情報端末装置２４へ送信させる制御を行う。
　【００５６】
　制御部５０は、移報受信部５２を介して非常通報を示す移報信号の受信を検出した場合、この移報信号に基づき、情報端末装置２４にアプリケーションプログラムとして設けた警報表示機能の起動コマンド、少なくとも非常通報警報と非常通報発生場所を示す情報を含むパケット形式の非常通報情報信号を生成し、有線ＬＡＮ通信部５４に指示して、ブロードキャスト通信又はマルチキャスト通信により、ＬＡＮ回線２６に接続した情報端末装置２４へ送信させる制御を行う。
　【００５７】
　［情報端末装置］
　図１に示した情報端末装置２４は、建物１１に入居している企業などで働いている人が、その業務に使用しているパソコンであり、防災監視設備と連携するため、警報表示機能を実現するアプリケーションプログラムを予めインストールしている。
　【００５８】
　情報端末装置２４は、その使用中に、アダプタ装置３０からＬＡＮ回線２６を介して例えばパケット形式の火災情報信号を受信した場合、火災情報信号に含まれる起動コマンドに基づき警報表示機能を作動し、また火災情報信号に含まれる火災警報と火災発生場所を示す情報に基づき、情報端末装置２４の画面上に、火災警報画面を割込み的に表示させる。
　【００５９】
　図３は情報端末装置における火災警報画面の一例を示した説明図である。図３に示すように、情報端末装置２４の使用中に、火災情報信号を受信すると、警報表示機能の起動により火災警報画面Ｗ１がそのときの作業画面の上に、マルチウィンドウ形式により重ねて表示される。
　【００６０】
　この火災警報画面Ｗ１は、「火災警報」の表示に続いて「○○階で火災が発生しました。」とする火災発生場所を表示し、更に、避難誘導のための情報として「落ち着いて避難してください。避難口は○○○となります。エレベータは使えません。」を表示し、利用者に直近の避難口を教えることで、迅速且つ安全な避難行動を可能とする。また、エレベータが使用できないことを表示し、動かないエレベータに人が殺到して混乱することを未然に防止可能とする。
　【００６１】
　また、情報端末装置２４は、その設置場所に応じて避難口を示したフロアマップ情報を予め記憶しており、火災情報信号を受信した場合に、火災警報画面Ｗ１に合わせて、その階のフロアマップ画面Ｗ２を、火災警報画面Ｗ１の下に表示し、利用者はフロアマップ画面Ｗ２をクリック操作して前面に表示することで、フロアマップ上に表示された避難口の場所を確認して避難行動を起こすことを可能とする。
　【００６２】
　また、情報端末装置２４におけるガス漏れ警報画面は、火災警報画面の場合と基本的に同じであり、ガス漏れ警報とその発生場所を示し、更に、必要があれば、避難を促す表示を行う。
　【００６３】
　また、情報端末装置２４における非常通報警報画面は、非常通報警報とその発生場所を示す表示を行う。勿論、警報表示画面は、警報の種別に応じた適宜の表示内容とすることができる。
　【００６４】
　［警報システムの他の実施形態］
（警報システムの概要）
　図４は、本発明による警報システムの他の実施形態を示した説明図、図５は図４の防災受信盤とアダプタ装置の機能構成の概略を示したブロック図であり、本実施形態は防災監視設備と情報端末装置を無線ＬＡＮにより連携したことを特徴とする。
　【００６５】
　図４及び図５に示すように、防災監視設備は、防災受信盤１０、火災感知器１４、ガス漏れ検出器１６、非常通報装置２０で構成しており、図１の警報システムの場合と同様であることから説明を省略する。
　【００６６】
　一方、建物１１の各階に配置した情報端末装置２４は、ＷｉＦｉ（Ｒ）などの無線ＬＡＮにより、所定の通信プロトコルにしたがって例えばパケット形式の信号を無線により送受信可能としている。
　【００６７】
　無線ＬＡＮは例えば各階に無線ＬＡＮ親機として機能するアクセスポイント６２を設置し、イーサネット（登録商標）などの有線ＬＡＮ回線２６で接続している。また、１階のアクセスポイント６２はゲートウェイ６４の機能を備え、外部のインターネットとの接続を可能とする。
　【００６８】
　情報端末装置２４は、無線ＬＡＮ子機として機能し、アクセスポイント６２と通信可能なエリアに配置され、他の端末情報装置のＩＰアドレスを宛先に指定したパケット形式の信号を１又は複数のアクセスポイント６２を経由して、送受信可能としている。
　【００６９】
　防災監視設備に設けた防災受信盤１０と無線ＬＡＮによるネットワークを介して情報端末装置２４と連携するため、防災受信盤１０にアダプタ装置６０を接続している。アダプタ装置６０は、無線ＬＡＮ子機（ステーション）として機能し、防災受信盤１０から移報信号が出力された場合に、この移報信号に基づきパケット形式の防災情報信号を生成し、これを無線ＬＡＮのアクセスポイント６２を経由して全ての情報端末装置２４へ配信して防災情報を表示させる。
　【００７０】
　無線ＬＡＮ親機として機能するアクセスポイント６２と無線ＬＡＮ子機（ステーション）として機能する情報端末装置２４の間のアクセスポイント制御は次のようになる。
　【００７１】
　情報端末装置２４には、同じ階の対応するアクセスポイント６２の識別子であるＥＳＳ−ＩＤ（Ｅｘｔｅｎｄｅｄ　Ｓｅｒｖｉｃｅ　Ｓｅｔ　Ｉｄｅｎｔｉｆｉｅｒ）を予め設定登録しておく。これによりアクセスポイント６２は設定登録されている識別子ＥＳＳ−ＩＤの情報端末装置２４としか通信しないようにすることができる。
　【００７２】
　アクセスポイント６２とそのステーション（無線ＬＡＮ子機）となる情報端末装置２４との間の通信接続を行うアクセスポイント制御は、パッシブスキャン方式とアクティブスキャン方式に大別される。
　【００７３】
　パッシブスキャン方式は、アクセスポイント６２が定期的にブロードキャストするビーコンフレームを情報端末装置２４で受信し、情報端末装置２４は予め設定登録しているアクセスポイントの識別子ＥＳＳ−ＩＤが、接続しようとしているアクセスポイント６２の識別子ＥＳＳ−ＩＤと同じかどうかを問い合わせるプローブ要求フレームを送信する。
　【００７４】
　アクセスポイント６２はプローブ要求フレームにより受信した識別子ＥＳＳ−ＩＤが自己の識別子ＥＳＳ−ＩＤと同じであればプローブ応答フレームを返送し、情報端末装置２４はこれを受信して、アクセスポイント６２の識別子ＥＳＳ−ＩＤが設定登録している識別子と同じ識別子であることを確認する。
　【００７５】
　続いて情報端末装置２４とアクセスポイント６２の間で、予め設定した認証方式を使って認証を行い、認証に成功すると、情報端末装置２４からアクセスポイント６２へ接続要求としてアソシエーション要求フレームを送信し、情報端末装置２４アクセスポイント６２が許可応答としてアソシエーション応答フレームを返送すると接続が完了し、パケット信号の通信を行う。
　【００７６】
　このパケット通信により情報端末装置２４から他の情報端末装置を送信先として送られたパケット信号は、アクセスポイント６２を経由するか、更にＬＡＮ回線２６で接続した他のアクセスポイント６２を経由して宛先の情報端末装置へ送られる。
　【００７７】
　アクティブスキャン方式は、情報端末装置２４でアクセスポイント６２からのビーコンフレームを一定時間にわたり受信できなかった場合に、情報端末装置２４が接続を行いたい識別子ＥＳＳ−ＩＤの情報をプローブ要求フレームにより送信し、アクセスポイント６２からプローブ応答フレームが得られれば、パッシブスキャン方式と同様に、認証、アソシエーション要求と応答に移行し、接続を完了し、パケットの通信を行う。
　【００７８】
　（アダプタ装置の構成）
　図５に示すように、アダプタ装置６０は、制御部７０、移報受信部７２、及び無線ＬＡＮ通信部７４を備え、図示しない電源装置或いは防災受信盤１０の電源部４８から電源供給を受けて動作する。制御部７０は、例えばプログラムの実行により実現される機能であり、ハードウェアとしてはＣＰＵ、メモリ、各種の入出力ポート等を備えたコンピュータ回路等を使用する。
　【００７９】
　移報受信部７２は、図２の移報受信部５２の場合と同様であり、移報信号線７８を介して防災受信盤１０の移報部４６と接続され、火災、ガス漏れ又は非常通報に基づく移報信号を受信して制御部７０に出力する。防災受信盤１０の移報部４６とアダプタ装置６０の移報受信部７２との間の信号の送受信は、例えばＲＳ２３２などのインタフェースを使用する。
　【００８０】
　無線ＬＡＮ通信部７４は、アクセスポイント６２との間で所定の無線ＬＡＮ通信プロトコルに従ってパケット形式の信号を送受信する。この通信プロトコルとしては、例えばＩＥＥＥ８０２．１１ｂ準拠とする。
　【００８１】
　制御部７０は、移報受信部７２を介して火災を示す移報信号の受信を検出した場合、この移報信号に基づき、情報端末装置２４にアプリケーションプログラムとして設けた警報表示機能の起動コマンド、少なくとも火災警報と火災発生場所を示す火災情報を含むパケット形式の火災情報信号を生成し、無線ＬＡＮ通信部７４に指示して、ブロードキャスト通信又はマルチキャスト通信により、アクセスポイント６２を経由して情報端末装置２４へ送信させる制御を行う。
　【００８２】
　また、制御部７０は、移報受信部７２を介して、例えばガス漏れを示す移報信号の受信を検出した場合、この移報信号に基づき、情報端末装置２４にアプリケーションプログラムとして設けた警報表示機能の起動コマンド、少なくともガス漏れ警報とガス漏れ発生場所を示す情報を含むパケット形式のガス漏れ情報信号を生成し、無線ＬＡＮ通信部７４に指示して、ブロードキャスト通信又はマルチキャスト通信により、アクセスポイント６２を経由して情報端末装置２４へ送信させる制御を行う。
　【００８３】
　また、制御部７０は、移報受信部７２を介して、例えば非常通報を示す移報信号の受信を検出した場合、この移報信号に基づき、情報端末装置２４にアプリケーションプログラムとして設けた警報表示機能の起動コマンド、少なくとも非常通報警報と非常通報発生場所を示す情報を含むパケット形式の非常通報情報信号を生成し、無線ＬＡＮ通信部７４に指示して、ブロードキャスト通信又はマルチキャスト通信により、アクセスポイント６２を経由して情報端末装置２４へ送信させる制御を行う。
　【００８４】
　［本発明の変形例］
　上記の実施形態は、防災監視盤にアダプタ装置を接続して、移報信号に基づくパケット形式の防災情報信号を生成して情報端末装置に配信して防災情報を表示させているが、アダプタ装置として、パソコン等の情報端末装置に、アダプタ装置の機能を実現するプログラムをインストールして実現しても良い。
　【００８５】
　また、防災受信盤からの移報信号をサーバに送り、サーバからクライアントに配信して防災情報を表示させるサーバ・クライアント方式としても良い。
　【００８６】
　また、上記の実施形態は、回線単位に火災を検知する所謂Ｐ型の防災受信盤を例にとるものであったが、火災感知器にアドレスを割り当て、防災受信盤からのポーリングにより温度や煙濃度などのアナログテータを応答送信して火災を判断する所謂Ｒ型の防災受信盤としても良い。
　【００８７】
　また、上記の実施形態は、情報端末装置としてパソコンを例にとっているが、防災情報を表示可能な機器であれば、タブレットや携帯電話などの適宜の端末機器を含む。
　【００８８】
　また、火災、ガス漏れ、非常通報を例にとるものであったが、それ以外の異常の監視についても、同様に適用できる。
　【００８９】
　また、上記の実施形態は、防災受信盤の移報部とアダプタ装置間のインタフェースとしてＲＳ２３２を例にとっているが、異常を知らせる移報信号として、接点を開閉する接点信号としても良い。
　【００９０】
　また、本発明は上記の実施形態に限定されず、その目的と利点を損なうことのない適宜の変形を含み、更に上記の実施形態に示した数値による限定は受けない。
　【符号の説明】
　【００９１】
１０：防災受信盤
１２：感知器回線
１４：火災感知器
１６：ガス漏れ検出器
１８，２２：信号回線
２０：非常通報装置
２４：情報端末装置
２６：ＬＡＮ回線
２８：ルータ
３０，６０：アダプタ装置
３２：受信制御部
３４：火災受信部
３６：ガス漏れ受信部
３８：非常通報受信部
４０：表示部
４２：音響警報部
４４：操作部
４６：移報部
４８：電源部
５０，７０：制御部
５２，７２：移報受信部
５４：有線ＬＡＮ通信部
６２：アクセスポイント
７４：無線ＬＡＮ通信部
（５７）【特許請求の範囲】
　【請求項１】
　監視領域に配置した検出器で異常を検出した場合に、異常検出信号を防災受信盤に送信して異常警報を出力すると共に、前記防災受信盤から、受信した異常に対応した移報信号を出力する防災監視設備と、
　前記監視領域に配置され、ネットワークを経由して信号を送受信する複数の情報端末装置と、
　前記防災受信盤から移報信号が出力された場合に、当該移報信号に基づく防災情報信号を生成し、当該防災情報信号を、前記ネットワークを経由して前記情報端末装置へ配信して防災情報を表示させるアダプタ装置と、
を備え、
　前記防災監視設備は、監視領域に配置した火災感知器で火災を検出した場合に火災検出信号を前記防災受信盤に送信して火災警報を出力すると共に、前記防災受信盤から、火災発生場所を含む移報信号を出力し、
　前記アダプタ装置は、前記防災受信盤からの火災発生場所を含む移報信号を受信した場合に、当該移報信号に基づき、火災警報及び火災発生場所を含む火災情報信号を生成して前記ネットワークを経由して前記複数の情報端末装置へ配信し、
　前記複数の情報端末装置は、日常的に使用されているパソコンであり、
当該日常的に使用されている場所に応じた避難口を示す地図情報を予め記憶し、
として当該地図情報を表示する画面
　【請求項２】
　監視領域に配置した検出器で異常を検出した場合に、異常検出信号を防災受信盤に送信して異常警報を出力すると共に、前記防災受信盤から、受信した異常に対応した移報信号を出力する防災監視設備と、
　前記監視領域に配置され、無線ネットワークを経由して信号を送受信する複数の情報端末装置と、
　前記防災受信盤から移報信号が出力された場合に、当該移報信号に基づく防災情報信号を生成し、当該防災情報信号を、前記無線ネットワークを経由して前記情報端末装置へ配信して防災情報を表示させるアダプタ装置と、
を備え、
　前記防災監視設備は、監視領域に配置した火災感知器で火災を検出した場合に火災検出信号を前記防災受信盤に送信して火災警報を出力すると共に、前記防災受信盤から、火災発生場所を含む移報信号を出力し、
　前記アダプタ装置は、前記防災受信盤からの火災発生場所を含む移報信号を受信した場合に、当該移報信号に基づき、火災警報及び火災発生場所を含む火災情報信号を生成して前記無線ネットワークを経由して前記複数の情報端末装置へ配信し、
　前記複数の情報端末装置は、日常的に使用されているタブレットや携帯電話であり、
当該日常的に使用されている場所に応じた避難口を示す地図情報を予め記憶し、
として当該地図情報を表示する画面
　【請求項３】
　請求項１又は２記載の警報システムに於いて、前記情報端末装置は、マルチウィンドウ形式の表示画面を有し、前記火災情報信号を受信した場合、前記火災警報画面を最前面に表示すると共に、前記地図画面を当該火災警報画面の下に表示し、利用者の所定の操作により当該地図画面を最前面に表示することを特徴とする警報システム。
　【請求項４】
　請求項１又は２記載の警報システムに於いて、前記情報端末装置は、前記火災警報画面に、エレベータが使用できない旨を表示することを特徴とする警報システム。